(57)【要約】【課題】  球受け領域を周回・流下する遊技球の動きに意外性を付与して新たな興趣を喚起することができ、不正行為の防止にも有用な遊技球誘導部材を提供する。【解決手段】  クルーン１は、環状の上壁部２の下方に位置し全体として皿状又はすり鉢状を呈する球受け領域５が、その球受け領域５全体の軸線Ｏ１とオフセットした軸線Ｏ２を有する形態でそれぞれ貫通形成された３個の球排出孔５ａと、それらの球排出孔５ａに挟まれた底壁部３と、底壁部３に連なり上方の開口２ａ側ほど拡径する形態で傾斜した環状の傾斜壁部４とを含んで構成されている。球受け領域５の傾斜壁部４は、内表面の傾きを径方向に沿って部分的に変えることによって遊技球Ｂが周回・流下する方向及び速度を変更して、球排出孔３ａと遊技球Ｂとの相対位置関係に変化をもたらすための傾斜変更部６を構成している。傾斜変更部６は、球排出孔５ａの上方に位置して、傾斜壁部４の軸線Ｏ１を中心として傾斜壁部４と同等の幅Ｗを有する環ベルト状に形成されている。【選択図】  図３
2006000321.tif 000002
【特許請求の範囲】
【請求項１】
全体として皿状又はすり鉢状を呈する球受け領域が、その球受け領域全体の軸線とオフセットした軸線及び／又は共有する軸線を有する形態で貫通形成された球排出孔と、上方の開口側ほど拡径する形態で傾斜した傾斜部とを含み、前記開口から導入され前記傾斜部の内表面で転動する遊技球を周回させながら流下させ前記球排出孔から導出させる遊技球誘導部材において、
前記球受け領域の傾斜部には、前記球排出孔の上方に位置して、内表面の傾きを径方向及び／又は周方向に沿って部分的に変えることによって遊技球が周回・流下する方向及び／又は速度を変更し前記球排出孔と遊技球との相対位置関係に変化をもたらすための傾斜変更部が形成されることを特徴とする遊技球誘導部材。
【請求項２】
全体として皿状又はすり鉢状を呈する球受け領域が、その球受け領域全体の軸線とオフセットした軸線を有する形態でそれぞれ貫通形成された複数の球排出孔と、それらの球排出孔に挟まれた底部と、その底部に連なり上方の開口側ほど拡径する形態で傾斜した環状の傾斜部とを含み、前記開口から導入され前記傾斜部の内表面で転動する遊技球を周回させながら流下させ前記複数の球排出孔のいずれかから導出させる遊技球誘導部材において、
前記球受け領域の傾斜部には、前記複数の球排出孔の上方に位置して、内表面の傾きを径方向及び／又は周方向に沿って部分的に変えることによって遊技球が周回・流下する方向及び／又は速度を変更し前記球排出孔と遊技球との相対位置関係に変化をもたらすための傾斜変更部が形成されることを特徴とする遊技球誘導部材。
【請求項３】
前記傾斜変更部は、前記球受け領域全体の軸線を中心として前記傾斜部内に所定の幅を有する環ベルト状に形成され、
前記開口から導入され前記球受け領域を周回・流下する遊技球は、前記傾斜変更部でそれまでの周回・流下する方向及び／又は速度が変更された後、前記球排出孔から導出される請求項１又は２に記載の遊技球誘導部材。
【請求項４】
前記球受け領域全体の軸線を含む断面において、前記傾斜変更部は、
（１）内表面輪郭線のテーパを変化させること；
（２）内表面輪郭線の曲率を変化させること；
（３）内表面輪郭線に段差を形成すること；
（４）内表面輪郭線に変曲点を含むこと；
のうちから選ばれた少なくとも１つで構成されている請求項１ないし３のいずれか１項に記載の遊技球誘導部材。
【発明の詳細な説明】
【技術分野】
【０００１】
本発明は、パチンコ機等の遊技機の遊技盤に配置され、クルーンと通称されることもある遊技球誘導部材に関する。
【背景技術】
【０００２】
従来より、遊技盤に配置されたクルーン（遊技球誘導部材）には、全体として皿状又はすり鉢状を呈する球受け領域が形成されている。この球受け領域の下部には球排出孔が貫通形成され、上方の開口から下部の球排出孔へ向かって縮径する形態（上方の開口側ほど拡径する形態）で傾斜した傾斜部が形成されている。したがって、上方の開口から導入され傾斜部の内表面で転動する遊技球は、球受け領域（傾斜部）を周回しながら流下して下部の球排出孔から導出される。
【０００３】
このようなクルーンで球排出孔が複数の場合には、いずれかの球排出孔が球受け領域全体（又は傾斜部）と軸線を共有するか、すべての球排出孔が球受け領域全体の軸線とオフセット（齟齬；偏位）した軸線を有しているかにかかわりなく、通常すべての球排出孔に当たり・外れが割り当てられた入賞装置（振分装置）に用いられる。一方、球排出孔が単一の場合には、その球排出孔は当否とは関係のない中継装置等に用いられるのが一般的である。ただし、例えば、球排出孔と軸線を共有する球受け領域の下方に振分回転体を配置すれば、クルーンは入賞装置（振分装置）の一部を構成することになる。
【０００４】
従来の球受け領域（傾斜部）の内表面輪郭線は、例えば全体が同じ曲率（曲率半径）で構成されて（描かれて）いたため、球受け領域上での遊技球の動きが単純化され多様性に乏しかった。そのため、クルーンが入賞装置（振分装置）及び中継装置のいずれに用いられても、球受け領域上での遊技球の動きから遊技の結末（当否や遊技球の周回・流下ルート）が予測でき、遊技者の興趣がそがれてしまうおそれがあった。また、クルーンが少なくとも入賞装置（振分装置）の一部を構成する場合には、タイミングを見計らって遊技機のガラス枠等を叩きクルーンを振動させるような不正行為によって、遊技球を特定の球排出孔から導出させたり、回転振分体の特定領域に落入させたりすることも可能となるおそれがあった。
【発明の開示】
【発明が解決しようとする課題】
【０００５】
本発明の課題は、球受け領域を周回・流下する遊技球の動きに意外性を付与して新たな興趣を喚起することができ、不正行為の防止にも有用な遊技球誘導部材を提供することにある。
【課題を解決するための手段及び発明の効果】
【０００６】
上記課題を解決するために、本発明の遊技球誘導部材は、
全体として皿状又はすり鉢状を呈する球受け領域が、その球受け領域全体の軸線とオフセットした軸線及び／又は共有する軸線を有する形態で貫通形成された球排出孔と、上方の開口側ほど拡径する形態で傾斜した傾斜部とを含み、前記開口から導入され前記傾斜部の内表面で転動する遊技球を周回させながら流下させ前記球排出孔から導出させる遊技球誘導部材において、
前記球受け領域の傾斜部には、前記球排出孔の上方に位置して、内表面の傾きを径方向及び／又は周方向に沿って部分的に変えることによって遊技球が周回・流下する方向及び／又は速度を変更し前記球排出孔と遊技球との相対位置関係に変化をもたらすための傾斜変更部が形成されることを特徴とする。
【０００７】
また、上記課題を解決するために、本発明の遊技球誘導部材は、例えば、
全体として皿状又はすり鉢状を呈する球受け領域が、その球受け領域全体の軸線とオフセットした軸線を有する形態でそれぞれ貫通形成された複数の球排出孔と、それらの球排出孔に挟まれた底部と、その底部に連なり上方の開口側ほど拡径する形態で傾斜した環状の傾斜部とを含み、前記開口から導入され前記傾斜部の内表面で転動する遊技球を周回させながら流下させ前記複数の球排出孔のいずれかから導出させる遊技球誘導部材において、
前記球受け領域の傾斜部には、前記複数の球排出孔の上方に位置して、内表面の傾きを径方向及び／又は周方向に沿って部分的に変えることによって遊技球が周回・流下する方向及び／又は速度を変更し前記球排出孔と遊技球との相対位置関係に変化をもたらすための傾斜変更部が形成されることを特徴とする。
【０００８】
これらの遊技球誘導部材によれば、球受け領域の傾斜部に形成された傾斜変更部によって、球受け領域を周回・流下する遊技球の動き（方向及び／又は速度の変化）に予測できない意外性を付与でき、遊技者の習熟度等にかかわらず遊技に対する興味を高めることができる。しかも、オフセットした（齟齬した；偏位した）軸線を有する形態で複数の球排出孔が貫通形成された入賞装置（振分装置）として用いる場合等には、磁力等を利用せず球受け領域の傾斜部に傾斜変更部を設けるだけの簡素な構成によって、不正行為の防止を図ることもできる。なお、傾斜変更部は、傾斜部の径方向のみ、周方向のみ、径方向及び周方向のいずれの態様（形態）で設けてもよい。
【０００９】
具体的には、傾斜変更部は、球受け領域全体の軸線を中心として傾斜部内に所定の幅を有する環ベルト状に形成され、開口から導入され球受け領域を周回・流下する遊技球は、傾斜変更部でそれまでの周回・流下する方向及び／又は速度が変更され、球排出孔から導出される。このように、環ベルト状に形成された傾斜変更部によって、遊技球の周回・流下途中に急激な方向及び／又は速度の変化を、見た目にもはっきりと与えることができる。
【００１０】
その際、球受け領域の傾斜部内に形成された環ベルト状の傾斜変更部の幅Ｗを、遊技球の直径をＤとしたとき、０．１Ｄ≦Ｗ≦２．０Ｄに設定すれば、遊技球の周回・流下途中での急激な方向及び／又は速度の変化を遊技者に視認させることができる。なお、傾斜変更部の幅Ｗが０．１Ｄ未満の場合には、方向や速度の変化量が小さくなり確認しづらくなるおそれがある。一方、傾斜変更部の幅Ｗが２．０Ｄ超の場合には、遊技球誘導部材が大型化するおそれがある。
【００１１】
そして、球受け領域全体の軸線を含む断面において、
（１）内表面輪郭線のテーパを変化させること；
（２）内表面輪郭線の曲率を変化させること；
（３）内表面輪郭線に段差を形成すること；
（４）内表面輪郭線に変曲点を含むこと；
のうちから選ばれた少なくとも１つで傾斜変更部を構成することができる。例えば、内表面輪郭線にこれらの形態（態様）を付加して遊技球誘導部材を射出成形等で一体成形できるので、簡素な構造で安価に製造することができる。
【００１２】
もちろん、傾斜変更部は上記（１）〜（４）の形態を組み合わせて構成してもよい。また、傾斜部のほぼ全面を傾斜変更部としてもよいし、傾斜部の一部を傾斜変更部としてもよい。これらによって、傾斜変更部をバラエティに富んだ形態とすることができる。例えば、（４）の変曲点について、外側に凸の形態から内側に凸の形態に変化する第一形態の変曲点、内側に凸の形態から外側に凸の形態に変化する第二形態の変曲点のいずれを用いてもよく、第一形態及び第二形態の変曲点を繰り返し使用してもよい。
【００１３】
そこで、上記課題を解決するために、本発明の遊技球誘導部材の第一の具体的態様は、
全体として皿状又はすり鉢状を呈する球受け領域が、その球受け領域全体の軸線とオフセットした軸線及び／又は共有する軸線を有する形態で貫通形成された球排出孔と、上方の開口側ほど拡径する形態で傾斜した傾斜部とを含み、前記開口から導入され前記傾斜部の内表面で転動する遊技球を周回させながら流下させ前記球排出孔から導出させる遊技球誘導部材において、
前記球受け領域の傾斜部には、前記球排出孔の上方に位置して、内表面の傾きを径方向に沿って部分的に変えることによって遊技球が周回・流下する方向及び／又は速度を変更し前記球排出孔と遊技球との相対位置関係に変化をもたらすための傾斜変更部が形成され、
前記球受け領域全体の軸線を含む断面において、前記傾斜変更部の内表面輪郭線は、前記開口側において径方向外側に凸の形態から前記球排出孔側において径方向内側に凸の形態に変化する変曲点を含むことを特徴とする。
【００１４】
また、上記課題を解決するために、本発明の遊技球誘導部材の第二の具体的態様は、
全体として皿状又はすり鉢状を呈する球受け領域が、その球受け領域全体の軸線とオフセットした軸線及び／又は共有する軸線を有する形態で貫通形成された球排出孔と、上方の開口側ほど拡径する形態で傾斜した傾斜部とを含み、前記開口から導入され前記傾斜部の内表面で転動する遊技球を周回させながら流下させ前記球排出孔から導出させる遊技球誘導部材において、
前記球受け領域の傾斜部には、前記球排出孔の上方に位置して、内表面の傾きを径方向に沿って部分的に変えることによって遊技球が周回・流下する方向及び／又は速度を変更し前記球排出孔と遊技球との相対位置関係に変化をもたらすための傾斜変更部が形成され、
前記球受け領域全体の軸線を含む断面において、前記傾斜変更部の内表面輪郭線は、前記開口側において径方向外側に凸の形態から前記球排出孔側において径方向内側に凸の形態に変化する第一の変曲点と、その第一の変曲点よりも下方に位置し、前記開口側において径方向内側に凸の形態から前記球排出孔側において径方向外側に凸の形態に変化する第二の変曲点とを含むことを特徴とする。
【００１５】
これらの遊技球誘導部材によれば、傾斜変更部の内表面輪郭線に変曲点を含むため、遊技球誘導部材の直径又は上下方向高さに比して、傾斜変更部での径方向又は軸線方向（上下方向）の寸法変化割合を大きくとることができる。したがって、球受け領域での周回・流下途中の遊技球に対して、急激な方向及び／又は速度の変化を容易に付与することができる。
【００１６】
そして、これらの遊技球誘導部材では、球受け領域全体の軸線を含む断面において、傾斜変更部の内表面輪郭線は、凸形態が変化せずに曲率が変化する曲率変化点を含むことができる。このように、内表面輪郭線が変曲点に加えて曲率変化点を含むことで、球受け領域を周回・流下する遊技球にさらに意外な動き（方向及び／又は速度の変化）を付与することができる。なお、遊技球誘導部材の第二の具体的態様では、第一及び第二の変曲点の間に曲率変化点を位置させることができる。
【発明を実施するための最良の形態】
【００１７】
（実施例１）
以下、本発明の実施の形態を図面を参照しつつ説明する。図１は本発明に係る遊技球誘導部材の一例としてのクルーンを示す斜視図、図２はその平面図、図３はＡ−Ａ断面図である。図１及び図２に示すように、クルーン１は、円環状の上壁部２（周壁部）の下方に位置し全体として皿状又はすり鉢状を呈する球受け領域５が、その球受け領域５全体の軸線Ｏ１（図３参照）とオフセットした（齟齬した；偏位した）軸線Ｏ２（図３参照）を有する形態でそれぞれ貫通形成された複数（例えば３個）の球排出孔５ａと、それらの球排出孔５ａに挟まれた（すなわち、複数の球排出孔５ａを包含又は包括する）底壁部３（底部）と、底壁部３に連なり上方の開口２ａ側ほど拡径する形態で傾斜した円環状の傾斜壁部４（傾斜部）とを含んで構成されている。
【００１８】
具体的には、クルーン１は、上方に開口し高位置において縦方向に延びる円環状の上壁部２と、複数（例えば３個）の球排出孔５ａが貫通形成され低位置において横方向に延びる底壁部３と、上壁部２と底壁部３との間に位置し低位置側ほど縮径する形態で傾斜した円環状の傾斜壁部４とを有する。そして、上壁部２を経て開口２ａから導入され傾斜壁部４の内表面で転動する遊技球Ｂは、球受け領域５を周回しながら流下し、３個の球排出孔５ａのいずれかから導出される。このように、転動する遊技球Ｂを周回させながら流下させる球受け領域５は、主として傾斜壁部４と底壁部３とによって形成されている。なお、７は底壁部３の中央に立設され各球排出孔５ａに対向する面を有するガイド突起であり、底壁部３上の遊技球Ｂをいずれかの球排出孔５ａに案内・排出する。また、８は台板、土台枠等の載置面上に載置・固定するために球受け領域５の外面に形成された環状の着座部である。
【００１９】
図３に示すように、球受け領域５の傾斜壁部４は、内表面の傾きを径方向に沿って部分的に変えることによって遊技球Ｂが周回・流下する方向及び速度を変更し、球排出孔５ａと遊技球Ｂとの相対位置関係に変化をもたらすための傾斜変更部６を構成している。つまり、傾斜変更部６は、球排出孔５ａの上方に位置して、傾斜壁部４（球受け領域５全体）の軸線Ｏ１を中心として傾斜壁部４内に所定の幅（例えば傾斜壁部４と同等の幅）Ｗを有する環ベルト状に形成されている。
【００２０】
図４に拡大して示すように、傾斜壁部４（球受け領域５全体）の軸線Ｏ１を含む断面において、傾斜変更部６の内表面輪郭線には、開口２ａ側において径方向外側に凸の形態から球排出孔５ａ側において径方向内側に凸の形態に変化する第一の変曲点Ｐ１が含まれている。また、第一の変曲点Ｐ１よりも下方に位置して、開口２ａ側において径方向内側に凸の形態から球排出孔５ａ側において径方向外側に凸の形態に変化する第二の変曲点Ｐ２が含まれている。なお、第二の変曲点Ｐ２より下方の底壁部３ではテーパ状形態（直線状；曲率半径が無限大）に形成されている。
【００２１】
さらに、傾斜変更部６の内表面輪郭線には、第一及び第二の変曲点Ｐ１，Ｐ２の間に位置して、凸形態が変化せずに曲率が変化する曲率変化点Ｑが含まれている。例えば、第一の変曲点Ｐ１と曲率変化点Ｑとの間の曲率半径ｒ１の方が、曲率変化点Ｑと第二の変曲点Ｐ２との間の曲率半径ｒ２よりも大に設定することができる。このとき、曲率半径ｒ１を無限大にするとＰ１―Ｑ間はテーパ状形態（直線状）となる。
【００２２】
このように、傾斜変更部６の内表面輪郭線に第一及び第二の変曲点Ｐ１，Ｐ２を含む場合には、クルーン１の上下方向高さに比して、傾斜変更部６での径方向の寸法変化割合を大きくとれる。また、曲率半径ｒ１の方が曲率半径ｒ２よりも大に設定されている場合には、第一の変曲点Ｐ１と曲率変化点Ｑとの間では、クルーン１の上下方向高さに比して傾斜変更部６での径方向の寸法変化割合が大きくなり、他方、曲率変化点Ｑと第二の変曲点Ｐ２との間では、クルーン１の直径に比して傾斜変更部６での軸線方向（上下方向）の寸法変化割合が大きくなる。傾斜変更部６によって、球受け領域５で周回・流下途中の遊技球Ｂは、それまでの周回・流下する方向及び速度が変更され、意外な動き（急激な方向及び速度の変化）が付与されてから、いずれかの球排出孔５ａに導出（排出）される。
【００２３】
なお、図２において、ＣＰ１は第一の変曲点Ｐ１を周方向に連ねた連結円、ＣＰ２は第二の変曲点Ｐ２を周方向に連ねた連結円、ＣＱは曲率変化点Ｑを周方向に連ねた連結円をそれぞれ表わしている。
【００２４】
図３に戻り、球受け領域５の傾斜壁部４内に形成された環ベルト状の傾斜変更部６の幅Ｗは、遊技球の直径をＤとしたとき、１．０Ｄ≦Ｗ≦１．５Ｄ（例えばＷ＝１．２Ｄ）に設定されている。これによって、遊技球Ｂには周回・流下途中で急激な方向及び速度の変化が付与されるので、遊技球Ｂの意外な動きが遊技者にもはっきりと視認できるようになる。
【００２５】
（変形例）
図５に図４の変形例を示す。このうち、図５（ａ）は、傾斜変更部６の内表面輪郭線にテーパ変化を含む場合を示している。Ｒ１，Ｒ２，Ｒ３はそれぞれテーパ変化点を表わしている。また、図５（ｂ）は、傾斜変更部６の内表面輪郭線にテーパ変化点Ｒ１，Ｒ３とそれらの間に形成された段差Ｓとを含む場合を示している。このように、傾斜変更部６にテーパ変化や段差を含む場合にも、球受け領域５を周回・流下する遊技球Ｂの動き（方向及び速度の変化）に意外性が付与され、遊技に対する興味が高められる。なお、図５において図１〜図４と共通する機能を有する部分には同一符号を付して説明を省略する。
【００２６】
（実施例２）
図６は本発明に係る遊技球誘導部材の他の例としてのクルーンを示す斜視図、図７はその平面図、図８はＢ−Ｂ断面図である。図６及び図７に示すように、クルーン１００は、円環状の上壁部２（周壁部）の下方に位置し全体として皿状又はすり鉢状を呈する球受け領域５が、その球受け領域５全体の軸線Ｏ１（図８参照）と共有する軸線Ｏ２（図８参照）を有する形態で貫通形成された単一の球排出孔５ａと、上方の開口２ａ側ほど拡径する形態で傾斜した円環状の傾斜壁部４（傾斜部）とを含んで構成されている。
【００２７】
具体的には、クルーン１００は、上方に開口し高位置において縦方向に延びる円環状の上壁部２と、低位置において貫通形成された単一の球排出孔５ａと、上壁部２と球排出孔５ａとの間に位置し低位置側ほど縮径する形態で傾斜した円環状の傾斜壁部４とを有する。そして、上壁部２を経て開口２ａから導入され傾斜壁部４の内表面で転動する遊技球Ｂは、球受け領域５を周回しながら流下し、球排出孔５ａから導出される。このように、転動する遊技球Ｂを周回させながら流下させる球受け領域５は、主として傾斜壁部４によって形成されている。
【００２８】
図８に示すように、球受け領域５の傾斜壁部４には、内表面の傾きを径方向に沿って部分的に変えることによって遊技球Ｂが周回・流下する方向及び速度を変更し、球排出孔５ａと遊技球Ｂとの相対位置関係に変化をもたらすための傾斜変更部６が形成されている。つまり、傾斜変更部６は、球排出孔５ａの上方に位置して、傾斜壁部４（球受け領域５全体）の軸線Ｏ１を中心として傾斜壁部４内に所定の幅（例えば傾斜壁部４の一部の幅）Ｗを有する環ベルト状に形成されている。なお、実施例２（図６〜図８）において実施例１（図１〜図４）と共通する機能を有する部分には同一符号を付して説明を省略する。
【００２９】
（実施例３）
図９は本発明に係る遊技球誘導部材のさらに他の例としてのクルーンを示す断面図である。図９に示すクルーン２００は、円環状の上壁部２（周壁部）の下方に位置し全体として皿状又はすり鉢状を呈する球受け領域５が、その球受け領域５全体の軸線Ｏ１と共有する軸線Ｏ２を有する形態で貫通形成された単一の球排出孔５ａ及びオフセットした（齟齬した；偏位した）軸線Ｏ２を有する形態でそれぞれ貫通形成された１又は複数（例えば２個）の球排出孔５ｂと、それらの球排出孔５ａ，５ｂに挟まれた（すなわち、複数の球排出孔５ａ，５ｂを包含又は包括する）底壁部３（底部）と、その底壁部３に連なり上方の開口２ａ側ほど拡径する形態で傾斜した円環状の傾斜壁部４（傾斜部）とを含んで構成されている。
【００３０】
具体的には、クルーン２００は、上方に開口し高位置において縦方向に延びる円環状の上壁部２と、複数（例えば合計３個）の球排出孔５ａ，５ｂが貫通形成され低位置において横方向に延びる底壁部３と、上壁部２と底壁部３との間に位置し低位置側ほど縮径する形態で傾斜した円環状の傾斜壁部４とを有する。そして、上壁部２を経て開口２ａから導入され傾斜壁部４の内表面で転動する遊技球Ｂは、球受け領域５を周回しながら流下し、複数の球排出孔５ａ，５ｂのいずれかから導出される。このように、転動する遊技球Ｂを周回させながら流下させる球受け領域５は、主として傾斜壁部４と底壁部３とによって形成されている。なお、７０は中央の球排出孔５ａの周縁に立設され各球排出孔５ｂに対向する面を有するガイド突起であり、底壁部３上の遊技球Ｂをいずれかの球排出孔５ｂに案内・排出する。
【００３１】
球受け領域５の傾斜壁部４は、内表面の傾きを径方向に沿って部分的に変えることによって遊技球Ｂが周回・流下する方向及び速度を変更し、球排出孔５ａ，５ｂと遊技球Ｂとの相対位置関係に変化をもたらすための傾斜変更部６に構成されている。つまり、傾斜変更部６は、球排出孔５ａ，５ｂの上方に位置して、傾斜壁部４（球受け領域５全体）の軸線Ｏ１を中心として傾斜壁部４内に所定の幅（例えば傾斜壁部４と同等の幅）Ｗを有する環ベルト状に形成されている。具体的には、傾斜変更部６の内表面輪郭線にテーパ変化点Ｒ１０を含んで構成されている。このような傾斜変更部６によって、球受け領域５で周回・流下途中の遊技球Ｂは、それまでの周回・流下する方向及び速度が変更され、意外な動き（急激な方向及び速度の変化）が付与されてから、いずれかの球排出孔５ａ，５ｂに導出（排出）される。なお、実施例３（図９）において実施例１（図１〜図４）又は実施例２（図６〜図８）と共通する機能を有する部分には同一符号を付して説明を省略する。
【００３２】
以上の説明では、傾斜変更部６が球受け領域５の径方向のみに形成される場合について述べたが、周方向のみあるいは径方向及び周方向に形成する態様（形態）でもよい。また、球受け領域５（傾斜壁部４）や球排出孔５ａ，５ｂの平面形状は、真円に限らず擬似円形、楕円形等であっても構わない。さらに、実施例１（図１〜図４）において、球受け領域５全体の軸線Ｏ１とオフセットした軸線Ｏ２を有する形態で単一の球排出孔５ａを貫通形成することもできる。
【図面の簡単な説明】
【００３３】
【図１】本発明に係る遊技球誘導部材の一例を示す斜視図。
【図２】図１の平面図。
【図３】図２のＡ−Ａ断面図。
【図４】図３の拡大断面図。
【図５】図４の変形例を示す説明図。
【図６】本発明に係る遊技球誘導部材の他の例を示す斜視図。
【図７】図６の平面図。
【図８】図７のＢ−Ｂ断面図。
【図９】本発明に係る遊技球誘導部材のさらに他の例を示す断面図。
【符号の説明】
【００３４】
１，１００，２００  クルーン（遊技球誘導部材）
２          上壁部（周壁部）
２ａ        開口
３          底壁部（底部）
４          傾斜壁部（傾斜部）
５          球受け領域
５ａ，５ｂ  球排出孔
６          傾斜変更部
Ｏ１        球受け領域全体の軸線
Ｏ２        球排出孔の軸線
【図１】
2006000321.tif 000003
【図２】
2006000321.tif 000004
【図３】
2006000321.tif 000005
【図４】
2006000321.tif 000006
【図５】
2006000321.tif 000007
【図６】
2006000321.tif 000008
【図７】
2006000321.tif 000009
【図８】
2006000321.tif 000010
【図９】
2006000321.tif 000011